【手続補正書】
【提出日】平成16年2月19日(2004.2.19)
【手続補正１】
【補正対象書類名】明細書
【補正対象項目名】特許請求の範囲
【補正方法】変更
【補正の内容】
【特許請求の範囲】
【請求項１】
周方向に回転する円柱状または円盤状の可動部と、この可動部に形成され前記回転により冷媒流れ方向に連通する多孔質透過材より成る絞り部とを備えた絞り装置が組み込まれた冷凍サイクルにおいて、前記絞り部に気液二相冷媒を通過させることを特徴とする冷凍サイクル装置。
【請求項２】
前記可動部に形成され前記回転により冷媒流れ方向に貫通する貫通流路を備えたことを特徴とする請求項１記載の冷凍サイクル装置。
【請求項３】
前記可動部に形成され前記回転により冷媒の流れを遮断する遮断部を備えたことを特徴とする請求項１または２記載の冷凍サイクル装置。
【請求項４】
前記絞り部を複数備えたことを特徴とする請求項１記載の冷凍サイクル装置。
【請求項５】
前記可動部の回転により選択可能な異なる流動抵抗の絞り部を備えたことを特徴とする請求項１記載の冷凍サイクル装置。
【請求項６】
前記異なる流動抵抗の絞り部は流動抵抗の順に前記可動部の回転方向に配置されたことを特徴とする請求項５記載の冷凍サイクル装置。
【請求項７】
弁室内で互いに離着することで開閉可能な主弁座および主弁体と、前記主弁座および主弁体が閉時に前記弁室内にて閉部をバイパスするバイパス流路と、このバイパス流路に設けられ冷媒流れ方向に連通する多孔質透過材の絞り部とを備えた絞り装置が組み込まれた冷凍サイクルにおいて、前記絞り部に気液二相冷媒を通過させることを特徴とする冷凍サイクル装置。
【請求項８】
前記バイパス流路にオリフィスを備えたことを特徴とする請求項７記載の冷凍サイクル装置。
【請求項９】
前記オリフィスの直前に多孔質透過材を備えたことを特徴とする請求項８記載の冷凍サイクル装置。
【請求項１０】
前記オリフィスの直後に多孔質透過材を備えたことを特徴とする請求項８記載の冷凍サイクル装置。
【請求項１１】
弁室側壁に第１流路が開口する弁本体と、弁室底面に第２流路が開口する主弁座と、弁室内に前記主弁座を閉止できる主弁体とを備え、前記主弁体および主弁座で主絞り部を構成し、前記主絞り部の直前または直後に多孔質透過材を用いた補助絞り部を構成した絞り装置が組み込まれた冷凍サイクルにおいて、前記絞り部に気液二相冷媒を通過させることを特徴とする冷凍サイクル装置。
【請求項１２】
二方弁と、冷媒流れ方向に連通する多孔質透過材で構成した絞り部とを備え、前記二方弁と絞り部とを並列に接続して構成された絞り装置が組み込まれた冷凍サイクルにおいて、前記絞り部に気液二相冷媒を通過させることを特徴とする冷凍サイクル装置。
【請求項１３】
前記絞り部にオリフィスを備えたことを特徴とする請求項１２記載の冷凍サイクル装置。
【請求項１４】
冷媒を非共沸混合冷媒としたことを特徴とする請求項１、２、３、７、１１または１２記載の冷凍サイクル装置。
【請求項１５】
Ｒ２２冷媒より冷媒圧力損失の小さな冷媒としたことを特徴とする請求項１、２、３、７、１１または１２記載の冷凍サイクル装置。
【請求項１６】
圧縮機、室外熱交換器、第１流量制御装置、第１室内熱交換器、第２流量制御装置、第２室内熱交換器を順次接続した冷凍サイクルを備えた空気調和装置において、周方向に回転する円柱状または円盤状の可動部と、この可動部に形成され前記回転により冷媒流れ方向に連通する多孔質透過材より成る絞り部とを備えた絞り装置で前記第２流量制御装置を構成したことを特徴とする空気調和装置。
【請求項１７】
前記絞り装置は、前記可動部に形成され前記回転により冷媒流れ方向に貫通する貫通流路を備えたことを特徴とする請求項１６記載の空気調和装置。
【請求項１８】
前記絞り装置は、前記可動部に形成され前記回転により冷媒の流れを遮断する遮断部を備えたことを特徴とする請求項１６記載の空気調和装置。
【請求項１９】
前記絞り部を複数備えたことを特徴とする請求項１６記載の空気調和装置。
【請求項２０】
前記可動部の回転により選択可能な異なる流動抵抗の絞り部を備えたことを特徴とする請求項１６記載の空気調和装置。
【請求項２１】
前記異なる流動抵抗の絞り部は流動抵抗の順に前記可動部の回転方向に配置されたことを特徴とする請求項２０記載の空気調和装置。
【請求項２２】
圧縮機、室外熱交換器、第１流量制御装置、第１室内熱交換器、第２流量制御装置、第２室内熱交換器を順次接続した冷凍サイクルを備えた空気調和装置において、弁室内で互いに離着することで開閉可能な主弁座および主弁体と、前記主弁座および主弁体が閉時に弁室内にて閉部をバイパスするバイパス流路と、このバイパス流路に設けられ冷媒流れ方向に連通する多孔質透過材の絞り部とを備えた絞り装置で前記第２流量制御装置を構成したことを特徴とする空気調和装置。
【請求項２３】
前記バイパス流路にオリフィスを備えたことを特徴とする請求項２２記載の空気調和装置。
【請求項２４】
前記オリフィスの直前に多孔質透過材を備えたことを特徴とする請求項２３記載の空気調和装置。
【請求項２５】
前記オリフィスの直後に多孔質透過材を備えたことを特徴とする請求項２３記載の空気調和装置。
【請求項２６】
圧縮機、室外熱交換器、第１流量制御装置、第１室内熱交換器、第２流量制御装置、第２室内熱交換器を順次接続した冷凍サイクルを備えた空気調和装置において、弁室側壁に第１流路が開口する弁本体と、弁室底面に第２流路が開口する主弁座と、弁室内に前記主弁座を閉止できる主弁体とを備え、前記主弁体および主弁座で主絞り部を構成し、前記主絞り部の直前または直後に多孔質透過材を用いた補助的な絞り部を構成した絞り装置で前記第２流量制御装置を構成したことを特徴とする空気調和装置。
【請求項２７】
圧縮機、室外熱交換器、第１流量制御装置、第１室内熱交換器、第２流量制御装置、第２室内熱交換器を順次接続した冷凍サイクルを備えた空気調和装置において、二方弁と、冷媒流れ方向に連通する多孔質透過材で構成した絞り部とを備え、前記二方弁と絞り部とを並列に接続した絞り装置で前記第２流量制御装置を構成したことを特徴とする空気調和装置。
【請求項２８】
前記絞り部にオリフィスを備えたことを特徴とする請求項２７記載の空気調和装置。
【請求項２９】
潜熱比を低下させる運転時に前記絞り部を冷媒流路とするよう制御する制御部を備えたことを特徴とする請求項１６乃至２８の何れか１項に記載の空気調和装置。
【請求項３０】
冷房または除湿並びに暖房運転時に前記絞り部を冷媒流路とするよう制御する制御部を備えたことを特徴とする請求項１６乃至２８の何れか１項に記載の空気調和装置。
【請求項３１】
暖房運転起動時に前記絞り部を冷媒流路とするよう制御する制御部を備えたことを特徴とする請求項１６乃至２８の何れか１項に記載の空気調和装置。
【請求項３２】
暖房運転時で設定温度と室内温度との差が所定値以上の場合に前記絞り部を冷媒流路とするよう制御する制御部を備えたことを特徴とする請求項１６乃至２８の何れか１項に記載の空気調和装置。
【請求項３３】
冷媒を非共沸混合冷媒としたことを特徴とする請求項１６乃至３２の何れか１項に記載の空気調和装置。
【請求項３４】
Ｒ２２冷媒より冷媒圧力損失の小さな冷媒としたことを特徴とする請求項１６乃至３２の何れか１項に記載の空気調和装置。
【手続補正２】
【補正対象書類名】明細書
【補正対象項目名】００１９
【補正方法】削除
【補正の内容】
【手続補正３】
【補正対象書類名】明細書
【補正対象項目名】００３５
【補正方法】削除
【補正の内容】
【手続補正４】
【補正対象書類名】明細書
【補正対象項目名】０１２７
【補正方法】削除
【補正の内容】
【手続補正５】
【補正対象書類名】明細書
【補正対象項目名】０１４３
【補正方法】削除
【補正の内容】